(57)【要約】【課題】  やすり３の表面に接触させることができる掃除部材５を交換可能とし、カバー４の掃除も簡単な構造で行える角質削り器１を提供することを目的とする。【解決手段】  ハンドル２と、やすり３と、やすり３の回転中にやすり３の表面を掃除するための掃除部材５と、やすり３を覆い且つやすりを皮膚に接触させるための開口部１１を有するカバー４とを備える角質削り器１であり、掃除部材５は、カバー４に着脱可能に取り付けられている。【選択図】  図１
2018117986.tif 000002
【特許請求の範囲】
【請求項１】
ハンドルと、やすりと、そのやすりを回転駆動させるための回転駆動装置と、やすりの回転中にやすりの表面を掃除するための掃除部材と、やすりを覆い且つやすりを皮膚に接触させるための開口部を有するカバーと、を備える角質削り器において、前記掃除部材は、カバーに着脱可能に取り付けられていることを特徴とする角質削り器。
【請求項２】
カバーが、ハンドルに着脱可能に取り付けられている請求項１記載の角質削り器。
【請求項３】
掃除部材の基台とカバーのいずれか一方に、摺動溝が設けられ、他方にはその摺動溝に摺動可能に嵌合する嵌合突部が設けられ、摺動溝と嵌合突部の嵌合により掃除部材がカバーに取り付けられ、掃除部材を摺動溝方向に移動させることにより嵌合状態が解除される請求項１又は請求項２記載の角質削り器。
【請求項４】
掃除部材が取り付けられたカバーをハンドルに取り付けたときに、掃除部材の移動を規制する規制部がハンドルに形成されている請求項３記載の角質削り器。
【請求項５】
掃除部材は、ブラシ毛を有するブラシ部材である請求項１乃至請求項４のいずれか一項記載の角質削り器。
【請求項６】
ブラシ部材は細長く形成され、カバーから取り外したブラシ部材を指先でしっかりと掴むための手段がブラシ部材に設けられている請求項５記載の角質削り器。
【請求項７】
やすりは、片持ち状にハンドルに連結され、やすりの回転軸線上の先端を回転可能に支持する手段が、やすりの先端とカバーとの間に設けられている請求項１乃至請求項６のいずれか一項記載の角質削り器。
【請求項８】
やすりは円筒状に形成され、カバーの開口部と、そのカバーに取り付けられた掃除部材は、やすりを挟んで対称的に位置している請求項１乃至請求項７のいずれか一項記載の角質削り器。
【請求項９】
ハンドルと、やすりと、そのやすりを回転駆動させるための回転駆動装置と、やすりの回転中にやすりの表面を掃除するための掃除部材と、を備える角質削り器において、角質削り器から前記掃除部材を取り外すことができることを特徴とする角質削り器。
【発明の詳細な説明】
【技術分野】
【０００１】
本発明は、足裏などの角質を削るための角質削り器に関する。
【背景技術】
【０００２】
角質削り器は、例えば特許文献１に示すように、研削屑の飛散を抑えるためのカバーと、やすりの研削面の目詰まりを防止するために、やすりの表面に接触させることができる部材を備えたものがある。さらに、この角質削り器は、カバーの内面に付着してしまった研削屑を容易に取り除くことができるように、カバーの内面に接する払拭部材をカバーにスライド自在に取り付けている。
【先行技術文献】
【特許文献】
【０００３】
【特許文献１】特開２００１−６２７２４号公報
【発明の概要】
【発明が解決しようとする課題】
【０００４】
しかしながら、上記のような角質削り器では、やすりの表面に接触させるブラシなどの部材が、カバーに一体的に設けられているために、取り外すことができない。したがって、ブラシが汚れたときの洗浄を容易に行うことができず、また、やすりにより前記部材が摩耗したときにこれを交換することができない。さらに、前記払拭部材をカバーにスライド自在に取り付けるためには、カバーの表面にそのスライドの範囲の長さの摺動孔を設けて、その摺動孔から操作部を外側に突出させる必要がある。このために、研削屑がこの摺動孔から飛散する虞がある。また、そのような払拭部材を作ってカバーに摺動可能に取り付けるため、構造が簡易とならず、コストもかかる。
【０００５】
そこで、本発明は、やすりの表面に接触させることができる掃除部材を着脱・交換可能とし、カバーの掃除も簡単な構造で行える角質削り器を提供することを目的とする。
【課題を解決するための手段】
【０００６】
請求項１記載の発明は、ハンドルと、やすりと、そのやすりを回転駆動させるための回転駆動装置と、やすりの回転中にやすりの表面を掃除するための掃除部材と、やすりを覆い且つやすりを皮膚に接触させるための開口部を有するカバーと、を備える角質削り器において、掃除部材が、カバーに着脱可能に取り付けられている構成である。
【０００７】
請求項２記載の発明は、カバーが、ハンドルに着脱可能に取り付けられている構成である。
【０００８】
請求項３記載の発明は、掃除部材の基台とカバーのいずれか一方に、摺動溝が設けられ、他方にはその摺動溝に摺動可能に嵌合する嵌合突部が設けられ、摺動溝と嵌合突部の嵌合により掃除部材がカバーに取り付けられ、掃除部材を摺動溝方向に移動させることにより嵌合状態が解除される構成である。
【０００９】
請求項４記載の発明は、掃除部材が取り付けられたカバーをハンドルに取り付けたときに、掃除部材の移動を規制する規制部がハンドルに形成されている構成である。
【００１０】
請求項５記載の発明は、掃除部材が、ブラシ毛を有するブラシ部材である。
【００１１】
請求項６記載の発明は、ブラシ部材が細長く形成され、カバーから取り外したブラシ部材を指先でしっかりと掴むための手段がブラシ部材に設けられている構成である。
【００１２】
請求項７記載の発明は、やすりが、片持ち状にハンドルに連結され、やすりの回転軸線上の先端を回転可能に支持する手段が、やすりの先端とカバーとの間に設けられている構成である。
【００１３】
請求項８記載の発明は、やすりが円筒状に形成され、カバーの開口部と、そのカバーに取り付けられた掃除部材が、やすりを挟んで対称的に位置している構成である。
【００１４】
請求項９記載の発明は、ハンドルと、やすりと、そのやすりを回転駆動させるための回転駆動装置と、やすりの回転中にやすりの表面を掃除するための掃除部材と、を備える角質削り器において、角質削り器から前記掃除部材を取り外すことができる構成である。
【発明の効果】
【００１５】
請求項１記載の発明は、掃除部材が、カバーに着脱可能に取り付けられている。したがって、掃除部材が汚れたときにそれ自体を取り外して容易に洗浄することができ、掃除部材がやすりにより摩耗したときは、新しいものと交換することができる。また、掃除部材は、ブラシのほか用途に応じて弾性体のものや発泡体のものが使用できるが、それら複数の種類の掃除部材を用意して、用途に応じて交換することもできる。また、掃除部材は文字通り掃除するためのものであるから、掃除部材をカバーから取り外して、カバーの内面に付着した削り屑を掃除することもでき、カバーを掃除するための新たな掃除部材を用意する必要がない。
【００１６】
請求項２記載の発明は、カバーが、ハンドルに着脱可能に取り付けられている。したがって、カバーを取り外して掃除をすることができる。また、皮膚を研削する場合に、カバーが邪魔になるときは、カバーを取り外した状態で使用することができる。
【００１７】
請求項３記載の発明は、掃除部材の基台とカバーのいずれか一方に、摺動溝が設けられ、他方にはその摺動溝に摺動可能に嵌合する嵌合突部が設けられ、摺動溝と嵌合突部の嵌合により掃除部材がカバーに取り付けられ、掃除部材を摺動溝方向に移動させることにより嵌合状態が解除される。したがって、この掃除部材を取り外すときには掃除部材を摺動させればよく、例えば、一本の指先を掃除部材に押し付けて摺動させる方向に動かすだけで掃除部材を摺動させることができる。そして、掃除部材は、やすりの回転中にやすりの表面を掃除するための部材であるから、カバーの内面に取り付けられている。カバーの内側は狭いので、複数の指先をカバーの内側にいれて掃除部材の取り外し操作をするとややカバーが邪魔になるが、一本の指先で摺動部材を摺動させて取り外すときは、カバーが邪魔にならず、掃除部材を円滑に取り外すことができる。
【００１８】
請求項４記載の発明は、掃除部材が取り付けられたカバーをハンドルに取り付けたときに、掃除部材の移動を規制する規制部がハンドルに形成されている。したがって、使用中に掃除部材がガタつくことがない。
【００１９】
請求項５記載の発明は、掃除部材は、ブラシ毛を有するブラシ部材である。したがって、やすりの目詰まりを効果的に防止することができる。また、このブラシ部材を用いてカバー内の内面を掃除するときに、削り屑を効果的に取り除くことができる。
【００２０】
請求項６記載の発明は、ブラシ部材は細長く形成され、カバーから取り外したブラシ部材を指先でしっかりと掴むための手段がブラシ部材に設けられている。したがって、ブラシ部材でカバーの内面を掃除するときに、ブラシ部材をしっかり掴んでカバーの内面に付着している削り屑を強い力でこすり落とすことができる。
【００２１】
請求項７記載の発明は、やすりが、片持ち状にハンドルに連結され、やすりの回転軸線上の先端を回転可能に支持する手段が、やすりの先端とカバーとの間に設けられている。したがって、やすりの自由端がカバーに支持されるので、やすりの回転を安定したものとすることができる。
【００２２】
請求項８記載の発明は、やすりが円筒状に形成され、カバーの開口部と、そのカバーに取り付けられた掃除部材が、やすりを挟んで対称的に位置している。やすりによって削られた削り屑は、当初はやすりと共に回転するが、やすりが皮膚から離れるときに削り屑は遠心力によってやすりから離れる。このとき、遠心力はやすりの後方を向くので、削り屑は、やすりを挟んで対称的に位置しているカバーの内面に当たり、効率的に削り屑の飛散を防止することができる。
【００２３】
請求項９記載の発明は、角質削り器から掃除部材を取り外すことができる。したがって、掃除部材が汚れたときにそれ自体を取り外して容易に洗浄することができ、掃除部材がやすりにより摩耗したときは、新しいものと交換することができる。また、掃除部材は、ブラシのほか用途に応じて弾性体のものや発泡体のものが使用できるが、それら複数の種類の掃除部材を用意して、用途に応じて交換することもできる。さらに、角質削り器の使用中に、皮膚の場所によっては掃除部材が邪魔になる場合もあるが、そのようなときに、掃除部材を取り外して使用することができる。
【図面の簡単な説明】
【００２４】
【図１】本発明の正面図。
【図２】本発明の側面図。
【図３】カバーを外した側面図。
【図４】ブラシ部材を取り付けたカバーの内面の斜視図。
【図５】ブラシ部材を取り付けたカバーの内面の正面図。
【図６】図５におけるＡ−Ａ断面図。
【図７】ブラシ部材を外したカバーの内面の正面図。
【図８】ブラシ部材の底面側の斜視図。
【図９】ブラシ部材の側面図。
【発明を実施するための形態】
【００２５】
次に、本発明の実施例について、図面を参照しながら説明する。角質削り器１は、やや細長いハンドル２と、円筒状のやすり３と、カバー４と、掃除部材としてのブラシ部材５を備えている。図１に示すように、ハンドル２の正面にスイッチ６が取り付けられている。このスイッチ６は上端と中央と下端の三カ所で止めることができ、中央の位置にあるときにスイッチはオフであり、上端と下端の位置にあるときにスイッチ６はオンになり、その上端と下端とでは、やすり３の回転方向が異なり逆転する。図１は、スイッチ６が上端にある状態を示している。
【００２６】
図３に示すように、やすり３の回転軸線は、ハンドル２の中心軸線よりも左側に寄っている。そのために、図２に示すように、やすり３はカバー４から左側すなわちスイッチ６のある側にはみ出している。やすり３の研磨面は、その表面に接着層を設け、そこに砥粒を吹き付けて形成する。本実施例では、研磨面はやすり３の全長に亘って形成されておらず、両端に沿った部分には砥粒が接着されていない。しかし、砥粒をやすり３の全長に亘って吹き付け、研摩面としてもよいことは勿論である。
【００２７】
図３に示すように、ハンドル２の上部にカバー４の取付部７が形成されている。この取付部７の下端の周囲に段差８が形成され、この段差８はカバー４の厚みと等しい。そのために、図１又は図２に示されたように、ハンドル２とカバー４の外表面は面一になっている。取付部７の左右両面にはそこに取り付けたカバー４を係止するための係止突部９が設けられている。また、図３に示す角質削り器１の側面視に表わされているように、段差８は左右方向に傾斜し、左側すなわちスイッチ６のある側が低くなっている。この傾斜と整合させるために、図２に示すようにカバー４の下端縁２６も同様に傾斜している。
【００２８】
ハンドル２の内部には、モータと、そのモータにより回転される回転軸と、モータを回転させるためのバッテリが配備されている。バッテリは、ＵＳＢケーブルを用いて充電できるが、他の方法による充電でもよく、乾電池を交換するものであってもよい。ハンドル２の一端には円筒状のやすり３が片持ち状に取り付けられている。やすり３は、ハンドル２に着脱可能である。すなわち、例えば前記回転軸の先端に、断面が六角形で長さがやすり３よりもやや短い芯軸（図示せず。）が連結されている。他方、やすり３の内部に、回転軸線上に延びる有底の断面六角形の軸穴が設けられている（図示せず。）芯軸の先端に磁石が取り付けられ、有底の軸穴の底に磁性体部材が取り付けられている。したがって、芯軸をやすり３の軸穴に一杯に挿入すると、やすり３は芯軸に磁力により結合される。その磁力は、やすり３を引き抜くことができるほどの大きさに設定されている。なお、芯軸及びそれが挿入される軸穴の断面は六角形でなくてもよく、八角形等の非円形であればよい。また、磁力による結合に代えて、磁力以外の機械的な着脱構造又は係合構造であってもよい。やすり３の先端で且つ回転軸線上には、軸部１０が設けられている。なお、軸部１０を設けず、ハンドル２から延びる回転軸の先端をやすり３の先端から突出させてもよい。あるいは、前述した芯軸の先端を突出させ、その突出部を断面円形としてもよい。やすり３が着脱可能であるため、劣化したやすりを新しいやすりに交換したり、番手の異なるやすりに交換することもできる。
【００２９】
本実施例では、モータの回転軸線とやすり３の回転軸線が一直線上にあるが、それらの回転軸線が交差するものであってもよい。例えば、それらの回転軸線がＴ字形をなすように直交するものであってもよい。あるいは、直交以外の任意の角度で交差するものであってもよい。
【００３０】
カバー４は、やすり３を、その左右両側と背面側と上側から覆うことができる形状に形成され、正面側に開口部１１が形成されている。カバー４の横断面はほぼＵ字形をなし、カバー４の開口部１１と、そのカバー４に取り付けられたブラシ部材５が、やすり３を挟んで対称的に位置している。このため、やすり３の側方は、カバー４の両側の側面２９，２９で対称的に覆われている。本実施例のやすり３は、回転方向を変えることができるので、いずれの回転方向でも、やすり３によって削られ横方向に飛散しようとする削り屑は、カバー４の両側の側面２９，２９で同じようにその飛散が防止されるのである。
【００３１】
カバー４の下部の左右両内面には、ハンドル２の係止突部９に係止する係止凹部１２が設けられている。カバーは、硬質のプラスチックで形成されており、内部が目視できる程度の透明度を有している。ただし、硬質プラッスチック以外の材料で形成されてもよく、不透明であってもよい。
【００３２】
カバー４は、ハンドル２に着脱可能である。ハンドル２にカバー４を取り付けた図２の状態から、カバー４を取り外す方法の一つは、まず、図２において傾斜しているカバー４の下端縁２６に沿うようにカバー４の下端を右側（背面側）に動かし、カバーの下端側のみをハンドル２から外して、カバー４をハンドル２に対して斜めにした後、やすり３の先端の軸部１０と、カバー４の軸受部１６が分離するようにカバー４を上方に動かすことで、カバー４を外す方法である。他の方法は、図２において、カバー４を上方に引っ張って外す方法である。
【００３３】
図６に示すように、カバー４の背面側内面１３の中央には、ブラシ部材５を取り付けるための断面Ｔ字形の嵌合突部１４が、図７に示すようにカバー４の長手方向に延びるように設けられている。これにより、ブラシ部材５は、カバー４の中央の最も奥の部分に取り付けられるので、ブラシ部材５が開口部１１付近にあるよりも、削り屑の飛散を効果的に防止できる。また、カバー４の上面側内面１５には、前述したやすり３の軸部１０の軸受部１６が設けられている。取り外したやすり３は、軸部１０と反対側の端面が平面に形成されているので、やすり３を起立した状態で載置することができる。
【００３４】
図４に示すように、ブラシ部材５は、そのブラシ台１８の表面に、一群のブラシ毛からなる多数の毛束１７が二列になって長手方向に延びるように植毛されている。一方の毛束１７の列の各毛束１７は、他方の毛束１７の列の各毛束１７と半ピッチずれている。図５に示すように、毛束１７は、ブラシ台１８の上端１９付近まで植毛され、ブラシ台１８の下端２０付近までは植毛されず、その下端２０と毛束１７との間に平面部２１を残している。なお、その平面部２１の端部に沿って、ブラシ部材５をカバー４から外すときの指掛け用の突部を延在させてもよい。
【００３５】
また、図８に示すように、ブラシ台１８の裏面には、一対の側壁２２，２２が形成され、ブラシ台１８の下端２０には端壁２３が形成されている。両側壁２２，２２の中央部に内向きの突壁２４，２４が設けられ、これにより、カバー４の嵌合突部１４を摺動可能に取り付ける摺動溝２５が形成される。
【００３６】
ブラシ部材５は、以上のように構成されているので、これをカバー４に取り付けるときは、図７に示すカバー４の下側からブラシ部材５を上方に摺動させ、カバー４の嵌合突部１４をブラシ部材５の摺動溝２５に嵌合させる。この嵌合強さは、手指の軽い力でブラシ部材５を嵌合突部１４から着脱できる大きさで、且つ、図５に示すようにブラシ部材５が取り付けられたときに、通常の使用に際し両者の嵌合は外れない大きさである。それは、軽い力による嵌合のほか、凹凸による係止や機械的結合であってもよい。また、本実施例の嵌合により、カバー4に対してブラシ部材５を所定の位置で保持することもできる。ブラシ部材５をカバー４に取り付ける際、ブラシ部材５を一番奥まで摺動させたときに、ブラシ部材の曲面を有した先端面が、カバー４の上面側内面１５に整合するように当たり、それ以上の摺動が規制される。
【００３７】
嵌合ブラシ部材５を取り付けたカバー４を図２に示すように取り付けると、ブラシ台１８の下端２０が、図３に示すハンドル２のブラシ部材受け面２７に当たるので、ブラシ部材５の移動が規制され、使用中にブラシ部材５がガタつくことを防止できる。さらに、摺動溝２５の方向とやすり３の回転軸線が平行であるので、やすり３の回転中に、やすり３を摺動溝２５の方向に移動させようとする力がやすり３に作用せず、使用中にやすり３が移動することなく外れることもない。また、図示しないが、ブラシ部材５のブラシ毛の先端がやすり３の表面に当たって、使用中にやすり３の表面に付着する削り屑をふるい落とすことができる。なお、ブラシ部材５をカバー４に取り付ける構造は実施例に限定されるものではなく、実施例以外の機械的結合、例えば凹凸関係での結合や、機械的結合以外の、例えば磁力による結合などであってもよい。
【００３８】
削り屑は、カバー４の内面にも付着するので、使用後は掃除する必要がある。その場合、ブラシ部材５を使用して掃除をすることができる。図９に示すように、ブラシ台１８は、その側面２８のこの図における横方向の幅が比較的広く形成されている。したがって、この２つの側面２８に指先を宛がうことによって、ブラシ部材５をしっかりと掴むことができるから、カバー４の内面を掃除することができる。しかし、カバー４の背面側の内面１３を掃除するときは、ブラシ部材５を掴んでいる２つの指先がカバー４の両側の側面２９に当たって邪魔になる場合がある。そのような場合には、ブラシ台１８の平面部２１に親指を宛がい、ブラシ台１８の裏側から端壁２３の縁部に人差し指を宛がうことによって、ブラシ部材５をしっかりと掴むことができ、カバー４の両側の側面２９が邪魔にならずに掃除をすることができる。すなわち、ブラシ台１８の裏側から端壁２３の縁部に人差し指を宛がうと、同時に人差し指はブラシ台１８の側壁２２，２２にも宛がわれる。そうすると、人差し指の指先の腹が、端壁２３と側壁２２，２２に囲まれた凹所に喰い込むので、ブラシ部材５をしっかりと掴むことができるのである。
【産業上の利用可能性】
【００３９】
やすりの回転中にやすりの表面を掃除するための掃除部材が、カバーに着脱可能に取り付けられていることにより、掃除部材を交換することができる。また、取り外した掃除部材を用いて、カバーの内面に付着した削り屑を取り除くことができる。
【符号の説明】
【００４０】
１  角質削り器、    ２  ハンドル、    ３  やすり、    ４  カバー、    ５  ブラシ部材、    ６  スイッチ、    ７  カバーの取付部、    ８  段差、    ９  係止突部、    １０  軸部、    １１  開口部、    １２  係止凹部、    １３  背面側内面、    １４  嵌合突部、    １５  上面側内面、    １６  軸受部、    １７  毛束、    １８  ブラシ台、    １９  ブラシ台の上端、    ２０  ブラシ台の下端、    ２１  平面部、    ２２  側壁、    ２３  端壁、    ２４  突壁、    ２５  摺動溝、    ２６  カバーの下端縁、    ２７  ブラシ部材受け面、    ２８  ブラシ台の側面、    ２９  カバーの側面
【図１】
2018117986.tif 000003
【図２】
2018117986.tif 000004
【図３】
2018117986.tif 000005
【図４】
2018117986.tif 000006
【図５】
2018117986.tif 000007
【図６】
2018117986.tif 000008
【図７】
2018117986.tif 000009
【図８】
2018117986.tif 000010
【図９】
2018117986.tif 000011